(57)【特許請求の範囲】
【請求項１】
鞄本体に蓋を固定するための止め具であって、
一方面および他方面を有し、前記鞄本体に取り付け可能な支持部と、
前記支持部の前記他方面に沿って左右両方向に回動可能に設けられた操作部と、
前記蓋に取り付けられ、前記操作部を挿通可能な貫通孔を有し、かつ前記貫通孔に前記操作部が挿通された状態で前記鞄本体に前記蓋を固定可能な固定部と、
前記操作部に固定され、前記一方面に沿って前記左右両方向に回動可能であり、かつ前記一方面から突出する方向に延びる第１および第２の爪部を両側に有する回動板と、
前記第１および第２の爪部の外側に設けられ、かつ前記一方面から突出する方向に延びる第１および第２の突子を有し、前記支持部と前記回動板との間に配置された機構部材と、
前記機構部材の前記第１および第２の突子のいずれか並びに前記第１および第２の爪部のいずれかと両端部のそれぞれで当接して前記回動板を前記一方面に沿って前記左右両方向に付勢可能なコイルばねとを備え、
前記第１および第２の爪部は前記コイルばねの前記両端部をそれぞれ保持可能な第１および第２の凹状部を含み、
前記第１および第２の凹状部は、互いに異なる前記一方面からの高さ位置で前記コイルばねの前記両端部のそれぞれを保持するように形成されており、
前記一方面に対して上下方向に移動可能であり、前記他方面から先端部が突出するように設けられ、中央部に円柱形状を有し、前記回動板を係止可能な係止部と、
前記係止部を前記一方面に向かって付勢可能な弾性部材とをさらに備え、
前記回動板は、両側に第１および第２の切欠部を含み、
前記第１および第２の切欠部は外周面から中央に向かって凹む円弧形状を有しており、
前記係止部は、前記弾性部材に付勢されて上方向に移動した状態で前記コイルばねによって付勢された前記回動板の前記第１および第２の切欠部の前記円弧形状のいずれかと前記中央部の前記円柱形状の外周面で係合するように構成されており、かつ前記固定部によって押し下げられて下方向に移動した状態で前記回動板の前記第１および第２の切欠部のいずれかとの係合を解除するように構成されており、
前記操作部は、前記回動板の前記第１および第２の切欠部のいずれかと前記係止部とが係合した状態で前記貫通孔に挿通可能に構成されており、かつ前記回動板の前記第１および第２の切欠部のいずれかと前記係止部との係合を解除した際に前記貫通孔と交差する方向に回動可能に構成されている、止め具。
【請求項２】
前記係止部の前記中央部の前記外周面は、前記第１および第２の切欠部の厚み寸法より大きな厚み寸法を有している、請求項１に記載の止め具。
【請求項３】
前記支持部の一方面に沿って設けられた磁石をさらに備え、
前記固定部は、前記磁石に吸着可能な材質で構成されており、かつ前記貫通孔に前記操作部が挿通された状態で前記支持部を挟んで前記磁石と対向するように設けられている、請求項１または２に記載の止め具。
【請求項４】
請求項１〜３のいずれかに記載の止め具を備え、
前記鞄本体に前記支持部が取り付けられており、
前記蓋に前記固定部が取り付けられている、ランドセル。
【発明の詳細な説明】
【技術分野】
【０００１】
本発明は、止め具およびランドセルに関し、特に、鞄本体に蓋を固定するための止め具およびそれを備えたランドセルに関するものである。
【背景技術】
【０００２】
従来、ランドセルにおいては鞄本体に蓋が止め具によって固定されている。止め具は支持部と、固定部と、操作部とを主に有している。支持部は鞄本体の底部に取り付けられており、固定部は蓋の先端に取り付けられている。操作部は支持部に回動可能に取り付けられている。固定部は貫通孔を有しており、貫通孔に操作部が挿通した状態で操作部が回ることによって固定部が支持部に固定される。
【０００３】
固定部の貫通孔に操作部が挿通した状態で回動可能な操作部を有する止め具がたとえば、実開平４−１２０６２１号公報（特許文献１）に開示されている。この公報に開示されたランドセルの蓋着脱装置では、支持金具がランドセル本体の底板に固着されており、固定金具が蓋の先端に設けられている。固定金具は第１のコイルばねによって蓋側に付勢されており、自由な状態では固定金具は第１のコイルばねによって蓋に接するように折り曲げられる。
【０００４】
固定金具の係合長孔に係止突起が嵌められた状態で係止突起が回ることによって固定金具が支持金具に固定される。係止突起は左右両方向に回動可能に支持金具に取り付けられている。係止突起の回転軸には鈎片が取り付けられている。鈎片は係止溝、左右の凹欠、左右のストッパーピンを有している。各ストッパーピンを経て支持金具の突子に第２のコイルばねの両端が引掛けられている。これにより第２のコイルばねによって鈎片は左右両方向に付勢され得る。
【０００５】
また鈎片に対して支持金具と固定金具とが重なる方向に移動可能に可動金具が設けられている。可動金具は支持金具の裏面の囲繞片によって囲まれている。可動金具にはストップ片および止ピンが設けられている。可動金具の内周部は鈎片の先端部を囲むように円弧状に形成されている。円弧状の内周部から係止突起の係止溝および左右の凹欠と係合可能にストップ片が突出している。止ピンと支持金具の裏当板との間に第３のコイルばねが配置されている。これにより止ピンは支持金具の小孔より外部に突出するように第３のコイルばねによって付勢され得る。
【０００６】
固定金具によって第３コイルばねに抗して可動金具の止ピンが押されると、可動金具が囲繞片に沿って移動して、可動金具のストップ片と鈎片の係止溝、左右の凹欠のいずれかとの係止が解除される。これにより、第２コイルの付勢力によって鈎片および係止突起が回動する。そして、鈎片の係止溝、左右の凹欠のいずれかに可動金具のストップ片が入り込むことによって、鈎片および係止突起の回動が止まる。
【先行技術文献】
【特許文献】
【０００７】
【特許文献１】実開平４−１２０６２１号公報
【発明の概要】
【発明が解決しようとする課題】
【０００８】
上記公報に記載されたランドセルの蓋着脱装置においては、鉤片のストッパーピンの平面に第２のコイルばねの両端が接触している。このため第２のコイルばねの両端の位置が安定しない。したがって、鉤片のストッパーピンに第２のコイルばねが安定して保持されないという問題がある。
【０００９】
本発明は、上記課題を鑑みてなされたものであり、その目的は、コイルばねを安定して保持することができる止め具およびそれを備えたランドセルを提供することである。
【課題を解決するための手段】
【００１０】
本発明の止め具は、鞄本体に蓋を固定するための止め具であって、一方面および他方面を有し、鞄本体に取り付け可能な支持部と、支持部の他方面に沿って左右両方向に回動可能に設けられた操作部と、蓋に取り付けられ、操作部を挿通可能な貫通孔を有し、かつ貫通孔に操作部が挿通された状態で鞄本体に蓋を固定可能な固定部と、操作部に固定され、一方面に沿って左右両方向に回動可能であり、かつ一方面から突出する方向に延びる第１および第２の爪部を両側に有する回動板と、第１および第２の爪部の外側に設けられ、かつ一方面から突出する方向に延びる第１および第２の突子を有し、支持部と回動板との間に配置された機構部材と、機構部材の第１および第２の突子のいずれか並びに第１および第２の爪部のいずれかと両端部のそれぞれで当接して回動板を一方面に沿って左右両方向に付勢可能なコイルばねとを備えている。第１および第２の爪部はコイルばねの両端部をそれぞれ保持可能な第１および第２の凹状部を含んでいる。第１および第２の凹状部は、互いに異なる一方面からの高さ位置でコイルばねの両端部のそれぞれを保持するように形成されている。
【００１１】
本発明の止め具では、第１および第２の爪部はコイルばねの両端部をそれぞれ保持可能な第１および第２の凹状部を含んでいる。このため、第１および第２の凹状部でコイルばねの両端部を保持することができる。これによりコイルばねを安定して保持することができる。
【００１２】
また、第１および第２の凹状部は、互いに異なる一方面からの高さ位置でコイルばねの両端部のそれぞれを保持するように形成されている。コイルばねでは、ばねが巻かれることによってばねが積層されるため、コイルばねの一端と他端との高さが異なる。第１および第２の凹状部が互いに異なる一方面からの高さ位置でコイルばねの両端部のそれぞれを保持するため、コイルばねの両端部の高さ位置にあわせて第１および第２の凹状部はコイルばねの両端部のそれぞれを保持することができる。これにより、第１および第２の凹状部にコイルばねの両端部が当接することによるコイルばねの高さ方向の変形を抑制することができる。このため、コイルばねの両端部のそれぞれを安定して保持することができる。これにより、回動板が左右両方向に回動する際のコイルばねの付勢力を安定化することができる。また、回動板が左右両方向に回動する際に第１および第２の凹状部からコイルばねの両端部が外れることを抑制することができる。
【００１３】
上記の発明の止め具では、一方面に対して上下方向に移動可能であり、他方面から先端部が突出するように設けられ、中央部に円柱形状を有し、回動板を係止可能な係止部と、係止部を一方面に向かって付勢可能な弾性部材とをさらに備えている。回動板は、両側に第１および第２の切欠部を含んでいる。第１および第２の切欠部は外周面から中央に向かって凹む円弧形状を有している。係止部は、弾性部材に付勢されて上方向に移動した状態でコイルばねによって付勢された回動板の第１および第２の切欠部の円弧形状のいずれかと中央部の円柱形状の外周面で係合するように構成されており、かつ固定部によって押し下げられて下方向に移動した状態で回動板の第１および第２の切欠部のいずれかとの係合を解除するように構成されている。操作部は、回動板の第１および第２の切欠部のいずれかと係止部とが係合した状態で貫通孔に挿通可能に構成されており、かつ回動板の第１および第２の切欠部のいずれかと係止部との係合を解除した際に貫通孔と交差する方向に回動可能に構成されている。
【００１４】
係止部は、中央部に円柱形状を有し、弾性部材に付勢されて上方向に移動した状態でコイルばねによって付勢された回動板の第１および第２の切欠部のいずれかと中央部の外周面で係合するように構成されている。係止部の中央部は円柱形状を有しているため係止部が四隅で支持部と接触することはない。そのため、係止部をスムーズに動かすことができる。また、係止部は中央部の外周面で回動板の第１および第２の切欠部のいずれかと係合するように構成されているため、係止部は回動板より小さくなる。そのため、係止部の寸法が小さくなることによって係止部の重量が軽くなる。これにより、係止部をスムーズに動かすことができる。
【００１５】
上記の発明の止め具では、好ましくは、係止部の中央部の外周面は、第１および第２の切欠部の厚み寸法より大きな厚み寸法を有している。このため、回動板が傾いた場合でも、第１および第２の切欠部と係合するための係止部の厚みを確保することができるため、第１および第２の切欠部に係止部を係合しやすくすることができる。
【００１６】
上記の発明の止め具では、好ましくは、支持部の一方面に沿って設けられた磁石をさらに備えている。固定部は、磁石に吸着可能な材質で構成されており、かつ貫通孔に操作部が挿通された状態で支持部を挟んで磁石と対向するように設けられている。このため、磁石によって固定部が支持部に固定される。これにより、固定部の位置が安定するため、操作部を回しやすくすることができる。
【００１７】
本発明のランドセルは、上記の止め具を備えている。鞄本体に支持部が取り付けられており、蓋に固定部が取り付けられている。発明のランドセルでは、上記の止め具を備えているため、コイルばねを安定して保持することができる。
【発明の効果】
【００１８】
以上説明したように、本発明によれば、コイルばねを安定して保持することができる。
【図面の簡単な説明】
【００１９】
【図１】本発明の一実施の形態におけるランドセルの概略斜視図である。
【図２】本発明の一実施の形態における止め具の概略斜視図である。
【図３】本発明の一実施の形態における止め具の概略分解斜視図である。
【図４】本発明の一実施の形態における止め具の概略背面図である。
【図５】図４のＰ１部の内部構造を示す拡大図である。
【図６】図５のＶＩ−ＶＩ線に沿う概略断面図である。
【図７】図５のＶＩＩ−ＶＩＩ線に沿う概略断面図である。
【図８】本発明の一実施の形態における止め具をコイルばね側から見た状態を示す概略斜視図である。
【図９】本発明の一実施の形態における止め具の操作部がＲ１方向に回動した状態を示す概略平面図である。
【図１０】本発明の一実施の形態における止め具の操作部がＲ１方向に回動した状態を示す概略斜視図である。
【図１１】本発明の一実施の形態における止め具の操作部がＲ２方向に回動した状態を示す概略平面図である。
【図１２】本発明の一実施の形態における止め具の操作部がＲ２方向に回動した状態を示す概略斜視図である。
【図１３】本発明の一実施の形態における止め具の固定部によって係止部が押された状態を示す概略側面図である。
【発明を実施するための形態】
【００２０】
以下、本発明の一実施の形態について図に基づいて説明する。なお、同一の機能を果たす要素には同一の参照符号を付し、その説明は、特に必要がなければ繰り返さない。
【００２１】
最初に本発明の一実施の形態のランドセルの構成について説明する。
図１を参照して、本実施の形態のランドセルは、鞄本体１と、蓋２と、肩ベルト３と、止め具１０とを主に有している。鞄本体１は、ランドセルを使用者が背負ったときに背中が接する背板部１ａと、背板部１ａの両側に設けられた側面部１ｂと、背板部１ａと対向して側面部１ｂと両側で連結された正面部１ｃと、背板部１ａ、側面部１ｂおよび正面部１ｃの下端に設けられた底面部１ｄとを有している。また、鞄本体１は、背板部１ａ、側面部１ｂおよび正面部１ｃの上端に設けられた開口部を有している。開口部は底面部１ｄと反対側に開口している。
【００２２】
蓋２は開口部を開閉可能に鞄本体１に接続されている。つまり、蓋２は鞄本体１の背板部１ａの上端部に接続されており、鞄本体１の開口部および正面部１ｃを覆うことが可能に設けられている。蓋２は蓋部材２ａを有している。蓋部材２ａの先端に止め具１０が取り付けられている。止め具１０は鞄本体１に蓋２を固定するための装置である。止め具１０の詳細な構成については後述するが、鞄本体１に支持部１１が取り付けられており、蓋２に固定部１４が取り付けられている。操作部１３によって支持部１１は固定部１４に固定されている。
【００２３】
肩ベルト３は鞄本体１の背板部１ａの上端部と止め具１０とに接続されている。肩ベルト３は、左右に２本設けられている。肩ベルト３は、ランドセルを使用者が背負ったときに使用者の両肩に装着されるように構成されている。
【００２４】
続いて、本実施の形態の止め具１０の詳細な構成について説明する。
図２および図３を参照して、止め具１０は、支持部１１と、磁石１２と、操作部１３と、固定部１４と、回動板１５と、コイルばね１６と、係止部１７と、弾性部材１８と、固定台１９と、機構部材２０と、機構カバー２１と、ワッシャ２２とを主に有している。なお、図３では操作部１３の軸１３ａはかしめ加工前の状態で示されている。以下、各図において適宜同様に操作部１３の軸１３ａはかしめ加工前の状態で示されている。
【００２５】
支持部１１は、鞄本体１に取り付け可能に構成されている。支持部１１の一方面Ｓ１側に磁石１２などが配置され、他方面Ｓ２側に操作部１３などが配置されている。支持部１１は、中央に設けられた第１の貫通孔１１ａと、第１の貫通孔１１ａを挟むように設けられた２個の第２の貫通孔１１ｂと、第２の貫通孔１１ｂが並ぶ方向と交差する方向に設けられた第３の貫通孔１１ｃとを有している。また支持部１１の両端部には２個の第４の貫通孔１１ｄが設けられている。
【００２６】
第１の貫通孔１１ａは操作部１３の軸１３ａを挿通可能に形成されている。第２の貫通孔１１ｂは固定台１９の突起（図示せず）と係合可能に形成されている。第３の貫通孔１１ｃは係止部１７の先端部１７ａを挿通可能に形成されている。第４の貫通孔１１ｄは肩ベルト３を支持部１１に取り付けるための取付部材３ａ（図１）を回動可能に形成されている。
【００２７】
磁石１２は、支持部１１の一方面Ｓ１に沿って設けられている。磁石１２は機構部材２０の凹部２０ｃに嵌められた状態で支持部１１の一方面Ｓ１に沿って配置されている。磁石１２は支持部１１に固定部１４を磁力によって吸着可能に構成されている。磁石１２は支持部１１に固定部１４を仮固定することができる。
【００２８】
操作部１３は支持部１１の他方面Ｓ２に沿って左右両方向に回動可能に設けられている。操作部１３は、軸１３ａと、つまみ部１３ｂとを有している。操作部１３の軸１３ａは、固定台１９の貫通孔１９ａ、支持部１１の第１の貫通孔１１ａ、機構部材２０の第１の貫通孔２０ｄ、回動板１５の貫通孔１５０、機構カバー２１の第１の貫通孔２１ａ、ワッシャ２２の貫通孔２２ａの各々を挿通するように形成されている。操作部１３は左右両方向にそれぞれ約９０°の角度範囲で回動可能に構成されている。
【００２９】
固定部１４は鞄本体１に蓋２を固定可能に構成されている。固定部１４は磁石１２に吸着可能な材質で構成されている。固定部１４は、２個の貫通孔１４ａと、湾曲部１４ｂと、板状部１４ｃと、連結部１４ｄとを有している。２個の貫通孔１４ａはそれぞれ操作部１３を挿通可能に形成されている。固定部１４は貫通孔１４ａに操作部１３が挿通された状態で支持部１１を挟んで磁石１２と対向するように設けられている。湾曲部１４ｂは使用者が指をかけやすくするために湾曲している。板状部１４ｃに２個の貫通孔１４ａが略平行に延びるように形成されている。板状部１４ｃと連結部１４ｄとは斜めに接続されている。つまり板状部１４ｃが伸びる方向に対して連結部１４ｄは操作部１３側に傾くように形成されている。
【００３０】
回動板１５の貫通孔１５０に操作部１３の軸１３ａが嵌め合わされることによって回動板１５は操作部１３に固定されている。回動板１５は一方面Ｓ１から突出する方向に延びる第１の爪部１５ａおよび第２の爪部１５ｂを両側に有している。回動板１５は両側に第１および第２の切欠部１５１、１５２を有している。第１および第２の切欠部１５１、１５２は外周面から中央に向かって凹むように形成されている。第１および第２の切欠部１５１、１５２は円弧形状を有している。回動板１５は一方面Ｓ１に沿って左右両方向に回動可能に構成されている。回動板１５にはコイルばね１６が取り付けられている。コイルばね１６は回動板１５を一方面Ｓ１に沿って左右両方向に付勢可能に構成されている。
【００３１】
係止部１７は、一方面Ｓ１に対して上下方向に移動可能に構成されている。係止部１７は回動板１５を係止可能に構成されている。係止部１７は、他方面から先端部１７ａが突出するように設けられている。係止部１７は中央部１７ｂに円柱形状を有している。係止部１７の中央部１７ｂの外周面１７ｃは、第１および第２の切欠部１５１、１５２の厚み寸法より大きな厚み寸法を有している。係止部１７は１つの部品で形成されているため壊れにくくすることができる。また係止部１７は１つの部品で形成されているため寸法を小さくすることができる。
【００３２】
係止部１７には弾性部材１８が取り付けられている。弾性部材１８は係止部１７を一方面Ｓ１に向かって付勢可能に構成されている。弾性部材１８はコイルばねであってもよい。この場合、弾性部材１８は係止部１７の中央部１７ｂの下面と機構カバー２１の上面との間に挟まれている。
【００３３】
係止部１７は、弾性部材１８に付勢されて上方向に移動した状態でコイルばね１６によって付勢された回動板１５の第１および第２の切欠部１５１、１５２のいずれかと中央部１７ｂの外周面１７ｃで係合するように構成されている。係止部１７は、固定部１４によって押し下げられて下方向に移動した状態で回動板１５の第１および第２の切欠部１５１、１５２のいずれかとの係合を解除するように構成されている。
【００３４】
操作部１３は、回動板１５の第１および第２の切欠部１５１、１５２のいずれかと係止部１７とが係合した状態で貫通孔１４ａに挿通可能に構成されている。操作部１３は、回動板１５の第１および第２の切欠部１５１、１５２のいずれかと係止部１７との係合を解除した際に貫通孔１４ａと交差する方向に回動可能に構成されている。
【００３５】
固定台１９は支持部１１の他方面Ｓ２に取り付けられている。固定台１９の突起（図示せず）は支持部１１の第２の貫通孔１１ｂに挿入されている。これにより、固定台１９が支持部１１に固定されている。支持部１１の他方面Ｓ２と操作部１３とのつまみ部１３ｂとの間に固定台１９が配置されている。固定台１９は固定部１４の厚み以上の厚みを有している。これにより、操作部１３は固定部１４の上面上を回動することができる。
【００３６】
図３および図５を参照して、機構部材２０は一方面Ｓ１から突出する方向に延びる第１の突子２０ａおよび第２の突子２０ｂを有している。第１の突子２０ａは第１の爪部１５ａの外側に設けられており、第２の突子２０ｂは第２の爪部１５ｂの外側に設けられている。
【００３７】
機構部材２０は、支持部１１の一方面Ｓ１との間で磁石１２を保持可能な凹部２０ｃを有している。機構部材２０の第１の貫通孔２０ｄは操作部１３の軸１３ａを挿通可能に形成されている。機構部材２０の第２の貫通孔２０ｅは固定台１９の突起（図示せず）と係合可能に形成されている。機構部材２０の第３の貫通孔２０ｆは係止部１７の先端部１７ａを挿通可能に形成されている。
【００３８】
機構部材２０の磁石１２が配置された面と反対側の面には回動板１５、コイルばね１６、係止部１７、弾性部材１８が配置されている。コイルばね１６は、第１および第２の突子２０ａ、２０ｂのいずれか並びに第１および第２の爪部１５ａ、１５ｂのいずれかと両端部１６ａ、１６ｂのそれぞれで当接して回動板１５を一方面Ｓ１に沿って左右両方向に付勢可能に構成されている。
【００３９】
図３および図４を参照して、機構カバー２１は機構部材２０を覆うように構成されている。機構カバー２１の第１の貫通孔２１ａは操作部１３の軸１３ａを挿通可能に形成されている。機構カバー２１の第２の貫通孔２１ｂは係止部１７の後端部１７ｅを挿通可能に形成されている。機構カバー２１の凹部２１ｃに嵌め込まれるようにワッシャ２２は構成されている。ワッシャ２２の貫通孔２２ａは操作部１３の軸１３ａを挿通可能に構成されている。
【００４０】
図４を参照して、機構部材２０が機構カバー２１に覆われている。機構カバー２１の中央に配置された凹部２１ｃにワッシャ２２が嵌め込まれている。操作部１３の軸１３ａがワッシャ２２に接してかしめられている。
【００４１】
図５〜図７を参照して、第１の爪部１５ａおよび第２の爪部１５ｂはコイルばね１６の両端部１６ａ、１６ｂをそれぞれ保持可能な第１および第２の凹状部１５ａ１、１５ｂ１を有している。第１および第２の凹状部１５ａ１、１５ｂ１はコイルばね１６の両端部１６ａ、１６ｂに対して凹むように形成されている。第１および第２の凹状部１５ａ１、１５ｂ１ｂはコイルばね１６の両端部１６ａ、１６ｂに当接するように形成されている。第１および第２の凹状部１５ａ１、１５ｂ１にコイルばね１６の両端部１６ａ、１６ｂが当接するためコイルばね１６の両端部１６ａ、１６ｂが第１および第２の凹状部１５ａ１、１５ｂ１から外れにくい。第１および第２の凹状部１５ａ１、１５ｂ１の凹み部はそれぞれ異なる形状を有している。
【００４２】
第１および第２の凹状部１５ａ１、１５ｂ１は、互いに異なる一方面Ｓ１からの高さ位置でコイルばね１６の両端部１６ａ、１６ｂのそれぞれを保持するように形成されている。第１の凹状部１５ａ１の一方面Ｓ１からの高さは第２の凹状部１５ｂ１の一方面Ｓ１からの高さよりも高くなっている。つまり第１の凹状部１５ａ１がコイルばね１６の一端部１６ａと当接する位置は、第２の凹状部１５ｂ１がコイルばね１６の他端部１６ｂと当接する位置より一方面Ｓ１から離れている。また、機構部材２０の突子２０ａ、２０ｂも凹状部を有していてもよい。
【００４３】
図５〜図７に示す状態では、図２に示すように操作部１３が固定部１４の貫通孔１４ａと交差する。この状態では係止部１７は押し下げられており、係止部１７の中央部１７ｂは回動板１５よりも一方面Ｓ１から離れている。係止部１７の中央部１７ｂの上面の一部は回動板１５の先端の下面の一部と接している。なお、回動板１５の第１および第２の切欠部１５１、１５２のいずれもが係止部１７と係合していない。
【００４４】
コイルばね１６の一端部１６ａは第１の凹状部１５ａ１を経由して機構部材２０の突子２０ａに当接しており、コイルばね１６の他端部１６ｂは第２の凹状部１５ｂ１を経由して機構部材２０の突子２０ｂに当接している。
【００４５】
次に、本実施の形態の止め具の動作について説明する。
図８を参照して、この状態は図５〜図７に示すのと同じ状態である。つまり、図２に示すように操作部１３が固定部１４の貫通孔１４ａと交差する。この状態から使用者が操作部１３のつまみ部１３ｂをつまんで図中矢印Ｒ１方向またはＲ２方向に回すことで操作部１３が回される。
【００４６】
図９および図１０を参照して、図中矢印Ｒ１方向に約９０°の角度で操作部１３が回される。この際、操作部１３と一緒に回動板１５が回動する。コイルばね１６の一端部１６ａは第１の爪部１５ａの第１の凹状部１５ａ１に当接し、コイルばね１６の他端部１６ｂは機構部材２０の突子２０ｂに当接する。このため、コイルばね１６が曲げられることによってコイルばね１６によって回動板１５は付勢される。また、係止部１７は、弾性部材（コイルばね）１８に付勢されて上方向Ａ１に移動して第１の切欠部１５１と中央部１７ｂの外周面１７ｃで係合する。これにより、回動板１５の図中矢印Ｒ１方向の回動が止められる。この状態で使用者が固定部１４の湾曲部１４ｂをつかんで操作部１３を貫通孔１４ａから抜き出すことで支持部１１から固定部１４が取り外される。
【００４７】
続いて、図１１および図１２を参照して、図中矢印Ｒ２方向に約９０°の角度で操作部１３が回される。この際、操作部１３と一緒に回動板１５が回動する。コイルばね１６の他端部１６ｂは第２の爪部１５ｂの第２の凹状部１５ｂ１に当接し、コイルばね１６の一端部１６ａは機構部材２０の突子２０ａに当接する。このため、コイルばね１６が曲げられることによってコイルばね１６によって回動板１５は付勢される。また、係止部１７は、弾性部材（コイルばね）１８に付勢されて上方向Ａ１に移動して第２の切欠部１５２と中央部１７ｂの外周面１７ｃで係合する。これにより、回動板１５の図中矢印Ｒ２方向の回動が止められる。この状態で使用者が固定部１４の湾曲部１４ｂをつかんで操作部１３を貫通孔１４ａから抜き出すことで支持部１１から固定部１４が取り外される。
【００４８】
図１３を参照して、固定部１４によって係止部１７の先端部１７ａを押し下げることによって、コイルばね１８に抗して係止部１７が押し下げられて下方向Ａ２に移動する。この状態で回動板１５の第１および第２の切欠部１５１、１５２のいずれかと係止部１７との係合が解除される。これにより、コイルばね１６によって回動板１５および操作部１３が回動し、再び図８に示す状態になる。
【００４９】
つまり操作部１３は、回動板１５の第１および第２の切欠部１５１、１５２のいずれかと係止部１７とが係合した状態で貫通孔１４ａに挿入される。そして、操作部１３は、回動板１５の第１および第２の切欠部１５１、１５２のいずれかと係止部１７との係合を解除した際に貫通孔１４ａと交差する方向に回動する。これにより、操作部１３によって支持部１１に固定部１４が固定される。なお、固定部１４が屈曲しているため固定部１４の一部と支持部１１とが接した状態で固定部１４を押し下げることができる。このため、固定部１４で係止部１７の先端部１７ａを押し下げやすい。また、係止部１７の中央部１７ｂは機構部材２０および機構カバー２１に接触しない。
【００５０】
次に、本実施の形態の作用効果について説明する。
本実施の形態の止め具１０では、第１および第２の爪部１５ａ、１５ｂはコイルばね１６の両端部１６ａ、１６ｂをそれぞれ保持可能な第１および第２の凹状部１５ａ１、１５ｂ１を含んでいる。このため、第１および第２の凹状部１５ａ１、１５ｂ１でコイルばね１６の両端部１６ａ、１６ｂを保持することができる。これによりコイルばね１６を安定して保持することができる。
【００５１】
また、第１および第２の凹状部１５ａ１、１５ｂ１は、互いに異なる一方面Ｓ１からの高さ位置でコイルばね１６の両端部１６ａ、１６ｂのそれぞれを保持するように形成されている。このため、コイルばね１６の両端部１６ａ、１６ｂの高さ位置にあわせて第１および第２の凹状部１５ａ１、１５ｂ１はコイルばね１６の両端部１６ａ、１６ｂのそれぞれを保持することができる。これにより、第１および第２の凹状部１５ａ１、１５ｂ１にコイルばね１６の両端部１６ａ、１６ｂが当接することによるコイルばね１６の高さ方向の変形を抑制することができる。このため、コイルばね１６の両端部１６ａ、１６ｂのそれぞれを安定して保持することができる。これにより、回動板１５が左右両方向に回動する際のコイルばね１６の付勢力を安定化することができる。また、回動板１５が左右両方向に回動する際に第１および第２の凹状部１５ａ１、１５ｂ１からコイルばね１６の両端部１６ａ、１６ｂが外れることを抑制することができる。
【００５２】
本実施の形態の止め具１０では、係止部１７は、中央部１７ｂに円柱形状を有し、弾性部材１８に付勢されて上方向Ａ１に移動した状態でコイルばね１６によって付勢された回動板１５の第１および第２の切欠部１５１、１５２のいずれかと中央部１７ｂの外周面１７ｃで係合するように構成されている。係止部１７の中央部１７ｂは円柱形状を有しているため係止部１７が四隅で支持部１１と接触することはない。そのため、係止部１７をスムーズに動かすことができる。また、係止部１７は中央部１７ｂの外周面１７ｃで回動板１５の第１および第２の切欠部１５１、１５２のいずれかと係合するように構成されているため、係止部１７は回動板１５より小さくなる。そのため、係止部１７の寸法が小さくなることによって係止部１７の重量が軽くなる。これにより、係止部１７をスムーズに動かすことができる。
【００５３】
本実施の形態の止め具１０では、係止部１７の中央部１７ｂの外周面１７ｃは、第１および第２の切欠部１５１、１５２の厚み寸法より大きな厚み寸法を有しているため、回動板１５が傾いた場合でも、第１および第２の切欠部１５１、１５２と係合するための係止部１７の厚みを確保することができるため、第１および第２の切欠部１５１、１５２に係止部１７を係合しやすくすることができる。
【００５４】
本実施の形態の止め具１０では、固定部１４は、磁石１２に吸着可能な材質で構成されており、かつ貫通孔１４ａに操作部１３が挿通された状態で支持部１１を挟んで磁石１２と対向するように設けられている。このため、磁石１２によって固定部１４が支持部１１に固定される。これにより、固定部１４の位置が安定するため、操作部１３を回しやすくすることができる。
【００５５】
本実施の形態のランドセルは、上記の止め具１０を備えているため、コイルばね１６を安定して保持することができる。
【００５６】
なお、上記ではランドセルに本発明の止め具が取り付けられた場合について説明したが、これに限定されず、本発明の止め具は各種の鞄に取り付けられ得る。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５８】
本発明は、鞄本体に蓋を固定するための止め具およびそれを備えたランドセルに特に有利に適用され得る。
【符号の説明】
【００５９】
１  鞄本体、２  蓋、３  肩ベルト、１０  止め具、１１  支持部、１２  磁石、１３  操作部、１４  固定部、１５  回動板、１５ａ  第１の爪部、１５ａ１  第１の凹状部、１５ｂ  第２の爪部、１５ｂ１  第２の凹状部、１６  コイルばね、１７  係止部、１８  弾性部材、１９  固定台、２０  機構部材、２１  機構カバー、２２  ワッシャ。
【図１】
0006012978.tif 000002
【図２】
0006012978.tif 000003
【図３】
0006012978.tif 000004
【図４】
0006012978.tif 000005
【図５】
0006012978.tif 000006
【図６】
0006012978.tif 000007
【図７】
0006012978.tif 000008
【図８】
0006012978.tif 000009
【図９】
0006012978.tif 000010
【図１０】
0006012978.tif 000011
【図１１】
0006012978.tif 000012
【図１２】
0006012978.tif 000013
【図１３】
0006012978.tif 000014